(57)【要約】 【課題】移動局の省電力性の向上。【解決手段】無線基地局装置は、第１のセルから第２のセルに移動してきた移動局について、前記第１のセルから前記第２のセルに移動してきた移動局のセル移動履歴に基づき、前記第２のセルの隣接セルの中から、前記移動局の移動先候補となる第３のセルを選択するセル選択部と、前記移動局に対し、前記第３のセル以外の受信品質の測定を抑止するよう指示する抑止指示部と、を備える。【選択図】図１
2019071569.tif 000002
【特許請求の範囲】
【請求項１】
第１のセルから第２のセルに移動してきた移動局について、前記第１のセルから前記第２のセルに移動してきた移動局のセル移動履歴に基づき、前記第２のセルの隣接セルの中から、前記移動局の移動先候補となる第３のセルを選択するセル選択部と、
前記移動局に対し、前記第３のセル以外の受信品質の測定を抑止するよう指示する抑止指示部と、
を備える無線基地局装置。
【請求項２】
さらに、前記移動局についてのハンドオーバ要求に含まれる情報要素から前記セル移動履歴を取り出して記録する移動履歴記録部を備える請求項１の無線基地局装置。
【請求項３】
前記移動履歴記録部は、移動局がハンドアウトする際に、前記移動局が過去に在圏したセルとその滞在時間合計とを対応付けて、前記ハンドアウト先となったセルを記録する請求項２の無線基地局装置。
【請求項４】
前記セル選択部は、前記第１のセルから前記第２のセルに移動してきた移動局について、少なくとも前記第１のセルと前記第２のセルの組み合わせが共通するセル移動履歴のハンドアウト先として記録されたセルを、前記第３のセルとして決定する請求項２又は３の無線基地局装置。
【請求項５】
前記セル選択部は、前記第１のセルから前記第２のセルに移動してきた移動局について、前記第１のセルと前記第２のセルの組み合わせが共通し、かつ、前記第１のセルを含むセルの滞在時間合計が近似するセル移動履歴のハンドアウト先として記録されたセルを、前記第３のセルとして選択する請求項２又は３の無線基地局装置。
【請求項６】
さらに、
前記移動局から受信した前記第２のセルの受信品質の測定結果に基づいて、前記移動局が前記第２のセルに滞在しているか否かを確認する移動局管理部を備え、
前記抑止指示部は、所定の時間以上、前記第２のセルに滞在している移動局に対し、前記第２のセル以外の受信品質の測定を抑止するよう指示する請求項１から５いずれか一の無線基地局装置。
【請求項７】
前記移動局管理部は、前記第２のセルの受信品質が所定の閾値より低下している移動局に対して、隣接セルの受信品質の測定再開を指示する請求項６の無線基地局装置。
【請求項８】
前記移動履歴記録部は、隣接する無線基地局装置から受信したハンドオーバ要求に含まれるＵＥ−Ｈｉｓｔｏｒｙ−Ｉｎｆｏｒｍａｔｉｏｎに基づいて移動局のセル移動履歴を記録し、セル滞在時間合計を計算する請求項２から５いずれか一の無線基地局装置。
【請求項９】
第１のセルから第２のセルに移動してきた移動局について、前記第１のセルから前記第２のセルに移動してきた移動局のセル移動履歴に基づき、前記第２のセルの隣接セルの中から、前記移動局の移動先候補となる第３のセルを選択するステップと、
前記移動局に対し、前記第３のセル以外の受信品質の測定を抑止するよう指示するステップと、
を含む移動局の制御方法。
【請求項１０】
第１のセルから第２のセルに移動してきた移動局について、前記第１のセルから前記第２のセルに移動してきた移動局のセル移動履歴に基づき、前記第２のセルの隣接セルの中から、前記移動局の移動先候補となる第３のセルを選択する処理と、
前記移動局に対し、前記第３のセル以外の受信品質の測定を抑止するよう指示する処理と、を無線基地局装置に登載されたコンピュータに実行させるプログラム。
【発明の詳細な説明】
【技術分野】
【０００１】
本発明は、無線基地局装置、移動局の制御方法及びプログラムに関し、特に、セルの受信品質を測定する移動局に対してサービスを提供する無線基地局装置、移動局の制御方法及びプログラムに関する。
【背景技術】
【０００２】
特許文献１に、電力消費を低減できるというモバイル機器の一例が開示されている。具体的には、このモバイル機器は、モバイル機器が静止状態であるかどうかを判定し、前記モバイル機器が静止状態でないと判定された場合、１つ以上のページングメッセージを復号し、１つ以上の隣接セル探索を実行し、前記モバイル機器が静止状態であると判定された場合、ページングメッセージを復号し、隣接セル探索を実行しない、よう構成される。
【０００３】
特許文献２に、端末装置が基地局装置に自装置の移動状態を示す情報を報告可能な無線通信システムの一例が開示されている。具体的には、この無線通信システムの端末装置は、移動状態を示す情報として、自装置が訪れたセルの識別子とセルでの滞在時間とを含む情報（履歴情報）を基地局装置に報告する場合に、移動状態を示す情報として通知する履歴情報が存在することを示す情報を無線リソース制御接続設定完了メッセージに含めて基地局装置に通知する。一方で、基地局装置は、移動状態を示す情報の報告を行うか否かの情報を端末装置に通知する。端末装置は、基地局装置によって通知される情報に基づいて、移動状態を示す情報の報告を行う場合に、無線リソース制御接続設定完了メッセージとは異なる無線リソース制御メッセージを用いて履歴情報を基地局装置に報告する、と記載されている。
【０００４】
特許文献３に、適切な隣接セル情報を生成することにより、無線通信システムにおける動作の効率化を図ることができるという隣接セル処理装置が開示されている。この隣接セル処理装置は、無線端末装置２０２の移動動作履歴を示す移動情報を無線端末装置２０２および無線基地局装置１０１の少なくとも一方からの情報に基づいて取得するための移動情報取得部１１を備える。そして、この隣接セル処理装置は、移動情報取得部１１によって取得された移動情報に基づいて、対象の無線基地局装置１０１以外の複数の無線基地局装置１０１のうち、対象無線基地局装置の周辺に配置された１または複数の無線基地局装置１０１を示す隣接セル情報を生成するための隣接セル情報生成部１２とを備える。
【０００５】
非特許文献１には、ＬＴＥ（Ｌｏｎｇ  Ｔｅｒｍ  Ｅｖｏｌｕｔｉｏｎ）における基地局間に行われるハンドオーバ要求（Ｘ２ハンドオーバともいう）に、情報要素ＵＥ  Ｈｉｓｔｏｒｙ  Ｉｎｆｏｒｍａｔｉｏｎが含まれることが記載されている。また、情報要素ＵＥ  Ｈｉｓｔｏｒｙ  Ｉｎｆｏｒｍａｔｉｏｎと、情報要素Ｌａｓｔ  Ｖｉｓｉｔｅｄ  Ｃｅｌｌ  Ｉｎｆｏｒｍａｔｉｏｎに含まれる情報が定義されている（９．２  Ｉｎｆｏｒｍａｔｉｏｎ  Ｅｌｅｍｅｎｔ  ｄｅｆｉｎｉｔｉｏｎｓの９．２．３、９．２．４参照）。
【先行技術文献】
【特許文献】
【０００６】
【特許文献１】特開２０１６−１４６６３４号公報
【特許文献２】国際公開第２０１５／０１９９３０号
【特許文献３】特開２０１４−２００１０３号公報
【非特許文献】
【０００７】
【非特許文献１】ETSI TS 136 423 V8.2.0 (2008-11)、［２０１７年９月４日検索］、インターネット（URL: http://www.etsi.org/deliver/etsi_ts/136400_136499/136423/08.02.00_60/ts_136423v080200p.pdf）
【発明の概要】
【発明が解決しようとする課題】
【０００８】
以下の分析は、本発明によって与えられたものである。特許文献１の背景技術欄に記載されているとおり、移動体通信における移動局の電力消費を抑えたいという要請があり、特許文献１の発明では、モバイル機器が静止状態であると判定した場合、隣接セル探索を実行しないように構成されている。
【０００９】
しかしながら、モバイル機器は利用者等に携行されたり、ドローン等の移動体に搭載されることもあり、この場合、特許文献１の発明では電力消費の削減効果は限定的となってしまうという問題点がある。
【００１０】
特許文献２には、端末装置が基地局装置に自装置の移動状態を示す情報を報告することが記載されているが、この移動状態を示す情報は高速移動状態の端末装置をスモールセルにハンドオーバさせないようにするといったモビリティ制御に用いると記載されている。
【００１１】
特許文献３には、無線端末装置２０２および無線基地局装置１０１の少なくとも一方から移動動作履歴を示す移動情報を取得し、無線端末装置２０２のハンドオーバ回数の少ない隣接セル（フェムト基地局）を隣接セル情報から削除する構成が開示されているが、無線端末装置２０２がどのセルからハンドインしてきたかは考慮されていない。
【００１２】
本発明は、セル間移動（ハンドオーバ）を行う移動局の省電力性の向上に貢献できる無線基地局装置、移動局の制御方法及びプログラムを提供することを目的とする。
【課題を解決するための手段】
【００１３】
第１の視点によれば、第１のセルから第２のセルに移動してきた移動局について、前記第１のセルから前記第２のセルに移動してきた移動局のセル移動履歴に基づき、前記第２のセルの隣接セルの中から、前記移動局の移動先候補となる第３のセルを選択するセル選択部と、前記移動局に対し、前記第３のセル以外の受信品質の測定を抑止するよう指示する抑止指示部と、を備える無線基地局装置が提供される。
【００１４】
第２の視点によれば、第１のセルから第２のセルに移動してきた移動局について、前記第１のセルから前記第２のセルに移動してきた移動局のセル移動履歴に基づき、前記第２のセルの隣接セルの中から、前記移動局の移動先候補となる第３のセルを選択するステップと、前記移動局に対し、前記第３のセル以外の受信品質の測定を抑止するよう指示するステップと、を含む移動局の制御方法が提供される。本方法は、移動局に対し、受信品質の測定を指示する装置という、特定の機械に結びつけられている。
【００１５】
第３の視点によれば、第１のセルから第２のセルに移動してきた移動局について、前記第１のセルから前記第２のセルに移動してきた移動局のセル移動履歴に基づき、前記第２のセルの隣接セルの中から、前記移動局の移動先候補となる第３のセルを選択する処理と、前記移動局に対し、前記第３のセル以外の受信品質の測定を抑止するよう指示する処理と、を無線基地局装置に搭載されたコンピュータに実行させるプログラムが提供される。なお、このプログラムは、コンピュータが読み取り可能な（非トランジエントな）記憶媒体に記録することができる。即ち、本発明は、コンピュータプログラム製品として具現することも可能である。
【発明の効果】
【００１６】
本発明によれば、セル間移動（ハンドオーバ）を行う移動局の省電力性を向上させることが可能となる。
【図面の簡単な説明】
【００１７】
【図１】本発明の一実施形態の構成を示す図である。
【図２】本発明の一実施形態の動作を説明するための図である。
【図３】本発明の第１の実施形態の無線基地局装置の構成を示す図である。
【図４】本発明の第１の実施形態の動作を説明するためのセルレイアウトを示す図である。
【図５】本発明の第１の実施形態の無線基地局装置が保持する情報を説明するための図である。
【図６】本発明の第１の実施形態の動作（移動局１の移動履歴の蓄積）を説明するための図である。
【図７】本発明の第１の実施形態の動作（移動局１の移動履歴の蓄積）を説明するための図である。
【図８】本発明の第１の実施形態の動作（移動局２の移動履歴の蓄積）を説明するための図である。
【図９】本発明の第１の実施形態の動作（移動局２の移動履歴の蓄積）を説明するための図である。
【図１０】本発明の第１の実施形態の動作（移動局３の移動履歴の蓄積）を説明するための図である。
【図１１】本発明の第１の実施形態の動作（移動局３の移動履歴の蓄積）を説明するための図である。
【図１２】本発明の第１の実施形態の動作（移動局４の移動履歴の蓄積）を説明するための図である。
【図１３】本発明の第１の実施形態の動作（移動局４の移動履歴の蓄積）を説明するための図である。
【図１４】本発明の第１の実施形態の変形動作（移動局４の移動履歴の蓄積）を説明するための図である。
【図１５】本発明の第１の実施形態の動作（移動局５の移動履歴の蓄積）を説明するための図である。
【図１６】本発明の第１の実施形態の動作（移動局５の移動履歴の蓄積）を説明するための図である。
【図１７】本発明の第１の実施形態の動作（移動局６の移動先（第３のセル）の予測）を説明するための図である。
【図１８】本発明の第１の実施形態の動作（移動局６に対する指示）を説明するための図である。
【図１９】本発明の第１の実施形態の動作を表したシーケンス図である。
【図２０】本発明の第１の実施形態の無線基地局の動作を表したフローチャートである。
【図２１】本発明の第２の実施形態の無線基地局装置の構成を示す図である。
【図２２】本発明の第２の実施形態の動作を表したシーケンス図である。
【図２３】本発明の第２の実施形態を説明するための図である。
【図２４】本発明の第２の実施形態における移動局の動作を説明するための図である。
【図２５】本発明の無線基地局に搭載されるコンピュータの構成を表した機能ブロック図である。
【発明を実施するための形態】
【００１８】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。また、以降の説明で参照する図面等のブロック間の接続線は、双方向及び単方向の双方を含む。一方向矢印については、主たる信号（データ）の流れを模式的に示すものであり、双方向性を排除するものではない。
【００１９】
本発明は、その一実施形態において、図１に示すように、セル選択部１０１ａと、抑止指示部１０２ａと、を備える無線基地局装置１００ａにて実現できる。より具体的には、セル選択部１０１ａは、第１のセルから第２のセルに移動してきた移動局（図２の移動局２００）について、前記第１のセルから前記第２のセルに移動してきた移動局のセル移動履歴に基づき、前記第２のセルの隣接セルの中から、前記移動局の移動先候補となる第３のセル（例えば、図２のセル３）を決定する。なお、「移動局のセル移動履歴」は、移動局２００のセル移動履歴に限られず、他の移動局のセル移動履歴が含まれる。また、図１の例では、無線基地局装置１００ａは、上位装置等外部から前記セル移動履歴を取得するものとしているが、無線基地局装置１００ａが他の無線基地局や移動局から前記セル移動履歴を収集し、管理するものとしてもよい。
【００２０】
そして、抑止指示部１０２ａは、移動局２００に対し、前記第３のセル以外の受信品質の測定を抑止するよう指示する。例えば、前記移動局の移動先候補（第３のセル）として、図２のセル３を決定した場合、抑止指示部１０２ａは、移動局２００に対し、セル１、セル２の受信品質の測定を抑止するよう指示する。なお、前記セル１、セル２の受信品質の測定抑止指示の形態としては、直接セル１、セル２の受信品質の測定抑止を指示するほか、セル３のみ受信品質の測定を指示する形態も含まれる。
【００２１】
前記指示を受けた移動局２００が、セル１、セル２の受信品質の測定を抑止することで、移動局２００の消費電力が削減される。なお、上記の説明では、第３のセルとして、セル３、１つを選択するものとして説明したが、第３のセルとして複数のセルを選択してもよい。また、前記第３のセルの選択手法については、下記第１の実施形態にて詳細に説明する。
【００２２】
［第１の実施形態］
続いて、非特許文献１のＬＴＥへの適用を想定した本発明の第１の実施形態について図面を参照して詳細に説明する。図３は、本発明の第１の実施形態の無線基地局装置の構成を示す図である。図３を参照すると、セル選択部１０１と、抑止指示部１０２と、移動履歴記録部１０３と、を備える無線基地局装置１００の構成が示されている。
【００２３】
以下の説明では、無線基地局装置１００は、隣接するセルの無線基地局装置から、図４に示すセルレイアウトのＣｅｌｌ＃５に移動してきた移動局のセル移動履歴を入手し、その移動先と対応付けて、統計情報として蓄積するものとして説明する。
【００２４】
本実施形態では、移動履歴記録部１０３は、ハンドインに先立って隣接するセルの無線基地局装置から受信したハンドオーバ要求に含まれる情報要素であるＵＥ−Ｈｉｓｔｏｒｙ−Ｉｎｆｏｒｍａｔｉｏｎを取り出して、統計情報の過去の滞在セルを含む統計情報として蓄積するものとして説明する。非特許文献１に記載されているとおり、ＵＥ−Ｈｉｓｔｏｒｙ−Ｉｎｆｏｒｍａｔｉｏｎには、過去の在圏セル番号及び、そのセルの滞在時間が含まれる（９．２．３、９．２．４のＧｌｏｂａｌ−Ｃｅｌｌ−ＵＤ、Ｔｉｍｅ−ＵＥ−Ｓｔａｙｅｄ−Ｉｎ−Ｃｅｌｌ参照）。移動履歴記録部１０３による移動局の移動履歴の入手方法は、この形態に限られない。例えば、移動局２００から無線基地局装置１００に送信するメッセージの任意の情報要素に上記したＵＥ−Ｈｉｓｔｏｒｙ−Ｉｎｆｏｒｍａｔｉｏｎ相当の情報を含める形態を採用することもできる。あるいは、移動履歴記録部１０３が、任意の上位装置から、上記したＵＥ−Ｈｉｓｔｏｒｙ−Ｉｎｆｏｒｍａｔｉｏｎ相当の情報やこれを集計したものを入手する形態も採用することができる。
【００２５】
＜統計情報の蓄積＞
続いて、移動履歴記録部１０３における統計情報の蓄積方法について、具体的な移動局の移動ルートと併せて詳細に説明する。図５は、無線基地局装置１００の移動履歴記録部１０３が保持する情報を説明するための図である。図５を参照すると、過去２セルのセル番号と、過去２セルの滞在時間合計と、ハンドアウト先セル番号１〜３を対応付けて管理するテーブルが示されている。図５の過去２セルのセル番号は、あるセルに移動してきた移動局が、移動前に滞在していたセルと、さらに、その前に滞在していたセルを格納するフィールドである。また、過去２セルの滞在時間合計は、前記２つセルに移動局が滞在していた時間（あるいは滞在時間の長さを表すレベル情報等）を格納するフィールドである。ハンドアウト先セル番号１〜３は、前記過去２セルやその滞在時間によって表される移動パターンを持つ移動局が移動した先のセル情報を最大３つまで格納するために用いられる。前記移動局が移動した先のセルが４つ以上ある場合は、過去一定期間における出現回数の少ないものや、古いもの（ＦＩＦＯ）、あるいは、予測が当たらなかったものを適宜選択して掃き出すようにすればよい。もちろん、図５のテーブルを拡張して、４つ以上のハンドアウト先セルのすべてを保持するようにしてもよい。
【００２６】
例えば、図６に示すように、移動局１がＣｅｌｌ＃１、Ｃｅｌｌ＃２を経て、Ｃｅｌｌ＃５にハンドインし、その後、Ｃｅｌｌ＃９へハンドアウトしたものとする。また、Ｃｅｌｌ＃１、Ｃｅｌｌ＃２における滞在時間合計が２０秒であったものとする。
【００２７】
この場合、無線基地局装置１００の移動履歴記録部１０３は、図７に示すように、テーブルの過去２セルフィールドにＣｅｌｌ＃１、Ｃｅｌｌ＃２、過去２セルの滞在時間合計に、０〜１分、ハンドアウト先セル番号１に、Ｃｅｌｌ＃９を設定したエントリを追加する。これにより、Ｃｅｌｌ＃１、Ｃｅｌｌ＃２の順に、０〜１分という比較的短時間で通過した移動局が、Ｃｅｌｌ＃９にハンドアウトしたという情報が蓄積されることになる。
【００２８】
その後、図８に示すように、移動局２がＣｅｌｌ＃３、Ｃｅｌｌ＃４を経て、Ｃｅｌｌ＃５にハンドインし、その後、Ｃｅｌｌ＃１０へハンドアウトしたものとする。また、Ｃｅｌｌ＃３、Ｃｅｌｌ＃４における滞在時間合計が３０秒であったものとする。
【００２９】
この場合、無線基地局装置１００の移動履歴記録部１０３は、図９に示すように、テーブルの過去２セルフィールドにＣｅｌｌ＃３、Ｃｅｌｌ＃４、過去２セルの滞在時間合計に、０〜１分、ハンドアウト先セル番号１に、Ｃｅｌｌ＃１０を設定したエントリを追加する。これにより、Ｃｅｌｌ＃３、Ｃｅｌｌ＃４の順に、０〜１分という比較的短時間で通過した移動局が、Ｃｅｌｌ＃１０にハンドアウトしたという情報が蓄積されることになる。
【００３０】
その後、図１０に示すように、移動局３がＣｅｌｌ＃７、Ｃｅｌｌ＃６を経て、Ｃｅｌｌ＃５にハンドインし、その後、Ｃｅｌｌ＃８へハンドアウトしたものとする。また、Ｃｅｌｌ＃７、Ｃｅｌｌ＃６における滞在時間合計が８０秒であったものとする。
【００３１】
この場合、無線基地局装置１００の移動履歴記録部１０３は、図１１に示すように、テーブルの過去２セルフィールドにＣｅｌｌ＃７、Ｃｅｌｌ＃６、過去２セルの滞在時間合計に、１〜２分、ハンドアウト先セル番号１に、Ｃｅｌｌ＃８を設定したエントリを追加する。これにより、Ｃｅｌｌ＃７、Ｃｅｌｌ＃６の順に、１〜２分という時間を掛けて通過した移動局が、Ｃｅｌｌ＃８にハンドアウトしたという情報が蓄積されることになる。
【００３２】
その後、図１２に示すように、移動局４がＣｅｌｌ＃１、Ｃｅｌｌ＃２を経て、Ｃｅｌｌ＃５にハンドインし、その後、Ｃｅｌｌ＃９へハンドアウトしたものとする。また、Ｃｅｌｌ＃１、Ｃｅｌｌ＃２における滞在時間合計が４０秒であったものとする。
【００３３】
前記移動局４の移動ルートは、移動局１と同一であり、過去２セルの滞在時間合計も、０〜１分の範囲と同じである。この場合、既存のエントリに同一のものがあることになるため、無線基地局装置１００の移動履歴記録部１０３は、図１３に示すように新しいエントリの追加は行わない。なお、この場合において、図１４に示すように、ハンドアウト先セル番号１のフィールドにＣｅｌｌ＃９＊２と、ハンドアウト先となった頻度を追加するようにしてもよい。
【００３４】
その後、図１５に示すように、移動局５がＣｅｌｌ＃３、Ｃｅｌｌ＃４を経て、Ｃｅｌｌ＃５にハンドインし、その後、Ｃｅｌｌ＃８へハンドアウトしたものとする。また、Ｃｅｌｌ＃３、Ｃｅｌｌ＃４における滞在時間合計が５０秒であったものとする。
【００３５】
この場合、無線基地局装置１００の移動履歴記録部１０３は、図１６に示すように、テーブルの過去２セルフィールドがＣｅｌｌ＃３、Ｃｅｌｌ＃４、過去２セルの滞在時間合計に、０〜１分であるエントリのハンドアウト先セル番号２に、Ｃｅｌｌ＃８を追加する。これにより、Ｃｅｌｌ＃３、Ｃｅｌｌ＃４の順に、０〜１分という時間を掛けて通過した移動局のハンドアウト先がＣｅｌｌ＃１０だけでなく、Ｃｅｌｌ＃８もある、という情報が蓄積されることになる。
【００３６】
以上のようにして、無線基地局装置１００の移動履歴記録部１０３に、過去一定期間や、過去所定台数分の移動局の移動履歴が蓄積されていく。
【００３７】
再度、図３を参照して、無線基地局装置１００のその他の構成について説明する。セル選択部１０１は、移動履歴記録部１０３に蓄積された情報を参照して、新規にＣｅｌｌ＃５に移動してきた移動局のハンドアウト先の候補を決定する。より具体的には、セル選択部１０１は、移動局２００が直前に在圏していた無線基地局装置から受信したハンドオーバ要求に含まれるＵＥ−Ｈｉｓｔｏｒｙ−Ｉｎｆｏｒｍａｔｉｏｎと、前記収集した統計情報から、過去２セルの経路が一致するエントリのハンドアウト先セル番号フィールドを参照して、ハンドアウト先候補セルを選択する。例えば、移動履歴記録部１０３に蓄積されている情報が図１６のような状態であるときに、Ｃｅｌｌ＃３、＃４を経て、Ｃｅｌｌ＃５にハンドインした移動局のハンドアウト先の候補は、Ｃｅｌｌ＃１０又はＣｅｌｌ＃８となる。前述の説明のとおり、ハンドアウト先の候補は、１つの場合と、３つの場合もあり、その場合には、それぞれがハンドアウト先の候補として選択される。
【００３８】
ハンドアウト先の候補が見つからない場合、セル選択部１０１は、候補なし、として、抑止指示部１０２に、通常の品質測定（全隣接セルの受信品質測定）を指示してもよいし、例えば、過去２セルのうち、直近の滞在セルが一致し、古い方のセルが隣接するなど類似の経路を持つエントリを用いて、ハンドアウト先の候補を決定してもよい。
【００３９】
抑止指示部１０２は、移動局２００に対し、前記セル選択部１０１にて決定されたセル以外のセルについて受信品質の測定を抑止するように指示する。抑止指示部１０２から、移動局２００に対する指示の形態については、種々の形態を取りうるが、後に、その一例を紹介する。
【００４０】
続いて、本実施形態の動作について図面を参照して詳細に説明する。以下の説明では、移動履歴記録部１０３に蓄積されている情報が図１６のような状態であるものとして説明する。
【００４１】
図１７に示すように、移動局６がＣｅｌｌ＃１、Ｃｅｌｌ＃２を経由してＣｅｌｌ＃５へハンドインしたものとする。また、移動局のＣｅｌｌ＃１、Ｃｅｌｌ＃２の滞在時間合計は２０秒とする。
【００４２】
この場合、セル選択部１０１は、移動履歴記録部１０３から、移動局２００が直前に在圏していた無線基地局装置から受信したハンドオーバ要求に含まれるセル移動履歴（Ｃｅｌｌ＃１、Ｃｅｌｌ＃２）と、滞在時間２０秒が一致するエントリを検索する。図１６の例では、１番目のエントリが一致するので、セル選択部１０１は、当該エントリのハンドアウト先セル番号フィールドに記録されているＣｅｌｌ＃９を、ハンドアウト先候補セルとして決定する。
【００４３】
そして、抑止指示部１０２は、移動局６に対し、前記セル選択部１０１にて決定されたＣｅｌｌ＃９以外のセルについて受信品質の測定を抑止するように指示する。この結果、移動局６は、図１８に示すように、Ｃｅｌｌ＃９についてのみ受信品質測定を実施し、Ｃｅｌｌ＃９以外のセルについては、受信品質測定の実施を省略する。
【００４４】
上記した動作について、移動局６及びその経路上のＣｅｌｌ＃２の無線基地局装置の動作を含めて図１９を用いて説明する。図１９に示すとおり、移動局６は、事前に無線基地局から受信したＲＲＣ  Ｃｏｎｎｅｃｔｉｏｎ  Ｒｅｃｏｎｆｉｇｕｒａｔｉｏｎに基づいて、受信品質測定を実施する。この段階では、ハンドアウト先の候補の選択は行われていないので、移動局６は、Ｃｅｌｌ＃２とその隣接セルの受信品質測定を実施する。
【００４５】
その後、図１７に示すように、移動局６がＣｅｌｌ＃２からＣｅｌｌ＃５に入ると、受信品質が劣化するため、移動局６は、Ｃｅｌｌ＃２の無線基地局（以下、「基地局（Ｃｅｌｌ＃２）」）に対し、受信品質測定結果をＲＲＣ：Ｍｅａｓｕｒｅｍｅｎｔ  Ｒｅｐｏｒｔを用いて送信する（ステップＳ００１）。ここでは、図１７に示すように、移動局６がＣｅｌｌ＃５に移動したためＣｅｌｌ＃５の受信品質が良好であり、Ｃｅｌｌ＃２の無線基地局（基地局（Ｃｅｌｌ＃２））は、Ｃｅｌｌ＃５の無線基地局（以下、「基地局（Ｃｅｌｌ＃５）」）へ、Ｘ２ハンドオーバさせることを決定したものとする。
【００４６】
基地局（Ｃｅｌｌ＃２）は、基地局（Ｃｅｌｌ＃５）に対し、ハンドオーバ要求メッセージ（ＨＡＮＤＯＶＥＲ  ＲＥＱＵＥＳＴ）を送信する（ステップＳ００２）。前記ハンドオーバ要求メッセージを受信した基地局（Ｃｅｌｌ＃５）は、ハンドオーバ要求メッセージに含まれるＵＥ−Ｈｉｓｔｏｒｙ−Ｉｎｆｏｒｍａｔｉｏｎと、前記収集した統計情報から、移動局６のハンドアウト先の候補となるセルを特定する（ステップＳ００３）。
【００４７】
前記移動局６のハンドアウト先の候補となるセルを特定した基地局（Ｃｅｌｌ＃５）は、基地局（Ｃｅｌｌ＃２）に対し、ＨＡＮＤＯＶＥＲ  ＲＥＱＵＥＳＴ  ＡＣＫＮＯＷＬＥＤＧＥメッセージを用いて、前記ハンドアウト先の候補となるセルの受信品質測定指示の転送を依頼する（ステップＳ００４）。
【００４８】
前記ハンドアウト先の候補となるセルの受信品質測定指示の転送依頼を受けた基地局（Ｃｅｌｌ＃２）は、ＲＲＣ  Ｃｏｎｎｅｃｔｉｏｎ  Ｒｅｃｏｎｆｉｇｕｒａｔｉｏｎメッセージを用いて、移動局６に対し、ハンドアウト先の候補となるセルの受信品質測定を指示する（ステップＳ００５）。
【００４９】
ＲＲＣ  Ｃｏｎｎｅｃｔｉｏｎ  Ｒｅｃｏｎｆｉｇｕｒａｔｉｏｎメッセージを受信した移動局６は、基地局（Ｃｅｌｌ＃５）に対し、ＲＲＣ  Ｃｏｎｎｅｃｔｉｏｎ  Ｒｅｃｏｎｆｉｇｕｒａｔｉｏｎ  Ｃｏｍｐｌｅｔｅメッセージを送信する（ステップＳ００６）。以降、移動局６は、ＲＲＣ  Ｃｏｎｎｅｃｔｉｏｎ  Ｒｅｃｏｎｆｉｇｕｒａｔｉｏｎメッセージに含まれる指示に基づいて受信品質測定を実施する。
【００５０】
図２０は、上記ステップＳ００３における無線基地局装置１００におけるハンドアウト先候補セルの決定処理の流れを表したフローチャートである。図２０を参照すると、まず、無線基地局装置１００は、隣接する無線基地局装置から受信したＵＥ−Ｈｉｓｔｏｒｙ−Ｉｎｆｏｒｍａｔｉｏｎから、該当移動局の過去２セルの滞在時間合計を計算する（ステップＳ１０１）。この滞在時間の合計は、ＵＥ−Ｈｉｓｔｏｒｙ−Ｉｎｆｏｒｍａｔｉｏｎに含まれる直近の滞在セルリスト（Ｌａｓｔ  Ｖｉｓｉｔｅｄ  Ｃｅｌｌ  Ｌｉｓｔ）中の上位２つのセルのＴｉｍｅ−ＵＥ−Ｓｔａｙ−Ｉｎ−Ｃｅｌｌの値を用いて計算することができる。
【００５１】
次に、無線基地局装置１００は、移動履歴記録部１０３を参照し、「過去２セルの滞在時間合計」フィールドに、前記算出した過去２セルの滞在時間合計の値を含むレンジが設定されているエントリが存在するか否かを確認する（ステップＳ１０２）。ここで、該当するレンジが設定されたエントリが存在しない場合（ステップＳ１０２のＮｏ）、無線基地局装置１００は、移動局２００に対し、ハンドアウト先候補セルの指示（受信品質測定セルの限定）は行わない（ステップＳ１０６）。
【００５２】
一方、「過去２セルの滞在時間合計」フィールドに、前記算出した過去２セルの滞在時間合計の値を含むレンジが設定されているエントリが存在した場合（ステップＳ１０２のＹｅｓ）、無線基地局装置１００は、次の事項を確認する。即ち、無線基地局装置１００は、前記過去２セルの滞在時間合計による条件に適合したエントリに、ＵＥ−Ｈｉｓｔｏｒｙ−Ｉｎｆｏｒｍａｔｉｏｎに含まれる過去２セルと同じセルが設定されているエントリが存在するか否かを確認する（ステップＳ１０３）。ここで、該当するエントリが存在しない場合（ステップＳ１０３のＮｏ）、無線基地局装置１００は、移動局２００に対し、ハンドアウト先候補セルの指示（受信品質測定セルの限定）は行わない（ステップＳ１０５）。
【００５３】
一方、前記確認の結果、ＵＥ−Ｈｉｓｔｏｒｙ−Ｉｎｆｏｒｍａｔｉｏｎに含まれる過去２セルと同じセルが設定されているエントリが見つかった場合、無線基地局装置１００は、これらのエントリのハンドアウト先セル番号１〜３フィールドに設定されたセルを、ハンドアウト先候補として特定する。これにより、過去在圏したセルの順序が同一であり、かつ、これらのセルの滞在時間合計が近似する移動局の移動履歴を持つ移動局のハンドアウト先が選択されることになる。そして、無線基地局装置１００は、前述のとおり、移動局２００に対して、これらのセル以外の受信品質測定の抑止を指示する（ステップＳ１０４）。ここで選択されたセルは、図５〜図１６を用いて説明したように、実際に該当セルを訪れた移動局の移動ルートと、その滞在時間に基づいたものとなっている。換言すると、このセル特定処理は、移動局が移動する可能性の低いセル（過去２セルの移動ルートで移動した実績のないセル）を受信品質測定の対象セルから除外するものとなっている。
【００５４】
また、上記の過程において、移動局の過去在圏したセルの滞在時間合計を比較することによって移動局の移動速度も考慮に入れられている。同じルートをたどった移動局であっても移動速度が異なる場合（例えば、徒歩と交通機関利用）、ハンドアウト先が異なる場合があるが、上記のようにセルの滞在時間合計を比較することによって、ハンドアウト先の予測精度の向上が図られている。
【００５５】
以上、説明したように、本実施形態によれば、移動局に、実際に移動する可能性の少ない隣接セルの受信品質測定を停止させることが可能となる。これにより、移動局の消費電力を低減することも可能となる。
【００５６】
［第２の実施形態］
続いて、上記第１の実施形態と比較して、移動局の消費電力の削減効果を高めることが可能となる第２の実施形態について図面を参照して説明する。図２１は、本発明の第２の実施形態の無線基地局装置の構成を表したブロック図である。図３に示した第１の実施形態との構成上の相違点は、移動局管理部１０４が追加されている点である。その他は、第１の実施形態と同様の構成で実現可能であるので、以下、その相違点を中心に説明する。
【００５７】
無線基地局装置１００Ｂの移動局管理部１０４は、移動局２００が、一定期間、移動していない状態にあるか否かを確認し、隣接セルの受信品質測定の要否の判定を行う。そして、第２の実施形態では、上記した第１の実施形態の移動履歴を考慮した隣接セルの受信品質測定の要否に加えて、移動局が移動していない場合にも在圏セル以外の受信品質測定の抑制指示が行われる。
【００５８】
続いて、上記した無線基地局装置１００Ｂによる移動局の移動有無の判定方法について説明する。先の図１９で説明したように、無線基地局装置は、移動局に対し、受信品質の測定結果通知タイミング等を指示する機能を有している（図１９のＲＲＣ  Ｃｏｎｎｅｃｔｉｏｎ  Ｒｅｃｏｎｆｉｇｕｒａｔｉｏｎメッセージ参照）。本実施形態の無線基地局装置１００Ｂの移動局管理部１０４は、移動局に対し、所定の時間間隔で、無線基地局装置に対し、在圏セルの受信品質測定の結果を送信するように指示する。
【００５９】
従って、本実施形態の無線基地局装置がサービスしているセルに在圏している移動局は、無線基地局装置に対し、前記指定された時間間隔で、Ｍｅａｓｕｒｅｍｅｎｔ  Ｒｅｐｏｒｔメッセージにて、在圏セルの受信品質測定の結果を送信する。
【００６０】
図２２は、本発明の第２の実施形態の動作を表したシーケンス図である。前述のとおり、移動局２００は、無線基地局装置１００Ｂ（図２２の基地局）との通信開始後、基地局から受信したＲＲＣ  Ｃｏｎｎｅｃｔｉｏｎ  Ｒｅｃｏｎｆｉｇｕｒａｔｉｏｎメッセージに従って、受信品質測定を行って、Ｍｅａｓｕｒｅｍｅｎｔ  Ｒｅｐｏｒｔメッセージを送信する（ステップＳ２０１）。
【００６１】
無線基地局装置１００Ｂ（図２２の基地局）は、移動局から受信したＭｅａｓｕｒｅｍｅｎｔ  Ｒｅｐｏｒｔメッセージに基づいて、一定期間、在圏セルの受信品質に変更があるか否かを確認する（ステップＳ２０２）。ここで、一定期間、在圏セルの受信品質に変更が無い場合、無線基地局装置１００Ｂ（図２２の基地局）は、該当移動局は移動していないと判定して（ステップＳ２０２のＹｅｓ）、移動局２００に対し、隣接セルの受信品質測定の停止を指示する（ステップＳ２０３）。この指示には、前述のＲＲＣ  Ｃｏｎｎｅｃｔｉｏｎ  Ｒｅｃｏｎｆｉｇｕｒａｔｉｏｎメッセージを用いることができる。
【００６２】
前記ＲＲＣ  Ｃｏｎｎｅｃｔｉｏｎ  Ｒｅｃｏｎｆｉｇｕｒａｔｉｏｎメッセージを受信した移動局２００は、無線基地局装置１００Ｂ（図２２の基地局）に対し、ＲＲＣ  Ｃｏｎｎｅｃｔｉｏｎ  Ｒｅｃｏｎｆｉｇｕｒａｔｉｏｎ  Ｃｏｍｐｌｅｔｅメッセージを送信する（ステップＳ２０４）。以降、移動局２００は、ＲＲＣ  Ｃｏｎｎｅｃｔｉｏｎ  Ｒｅｃｏｎｆｉｇｕｒａｔｉｏｎメッセージに含まれる指示に基づいて、隣接セルの受信品質測定を停止する。
【００６３】
図２３は、前記隣接セルの受信品質測定の停止指示を受けた移動局２００が、受信品質測定を実施するセルを表した図である。図２３に示すとおり、前記隣接セルの受信品質測定の停止指示を受けている場合、移動局は、在圏するセルのみ受信品質測定を実施することになる。
【００６４】
なお、図２２のステップＳ２０２において、在圏セルの受信品質に変更があると判定した場合、無線基地局装置１００Ｂ（図２２の基地局）は、前記隣接セルの受信品質測定の停止指示は行わない。この場合、移動局２００は、隣接セルの受信品質測定を行って、無線基地局装置１００Ｂ（図２２の基地局）に報告を行う。移動局２００が移動している可能性が高いため、ハンドオーバが適宜実施されることになる。
【００６５】
図２４は、上記第２の実施形態の無線基地局装置１００Ｂが提供するセルに在圏する移動局の挙動を表した図である。図２２にて説明したとおり、移動局２００は、在圏セルの受信品質を測定し、無線基地局装置１００Ｂに対して、通知する。図２４の例では、時刻ｔ０の時点で、無線基地局装置１００Ｂが一定期間受信品質に変化がないと判定して、移動局に隣接セルの受信品質測定の停止を指示している。但し、移動局２００は、在圏セルの受信品質測定と報告については継続する。
【００６６】
その後、時刻ｔ１の時点で移動局が移動を開始したとする。これにより、移動局２００から報告される在圏セルの受信品質が低下し始め、時刻ｔ２の時点で在圏セルの受信品質が所定の閾値ｔｈ１（在圏セルの受信品質閾値）を下回ったとする。以降、無線基地局装置１００Ｂは、移動局に対し、隣接セルの受信品質の測定再開を指示する。これにより、在圏セルの受信品質がさらに低下した際に（例えば、図２４の閾値ｔｈ２を下回る）、スムーズなハンドオーバが実施されることになる。
【００６７】
以上説明したように、本実施形態では、移動局２００が移動しているときだけでなく、移動局２００が移動をしていない場合に、隣接セルの受信品質測定を抑止させることができる。このため、第１の実施形態との比較において、移動局の消費電力をより低減させることが可能となる。
【００６８】
なお、上記した実施形態の説明に用いた図１、図３、図２１に示した無線基地局装置の１００、１００ａ、１００Ｂの各部（処理手段）は、無線基地局装置の１００、１００ａ、１００Ｂに搭載されたプロセッサ（図２５のＣＰＵ（Ｃｅｎｔｒａｌ  Ｐｒｏｃｅｓｓｉｎｇ  Ｕｎｉｔ）９０１０）に、そのハードウェアを用いて、上記した各処理を実行させるコンピュータプログラムにより実現することもできる。この場合、上記したコンピュータプログラムは、図２５のメモリ９０３０又は補助記憶装置９０４０に配置され、ＣＰＵ９０１０にて読み出されて実行させることになる。また、通信インタフェース９０２０は、移動局や隣接する無線基地局と上述した各種のメッセージを授受する手段として機能する。
【００６９】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示した機器間の構成、各要素の構成、メッセージの表現形態は、本発明の理解を助けるための一例であり、これらの図面に示した構成に限定されるものではない。
【００７０】
例えば、上記した第１の実施形態では、無線基地局装置１００が移動局の過去２セルの移動ルートとその滞在時間に基づいて、ハンドアウト先の候補を選択するものとして説明したが、判定に用いるセルの数は、２に限定されない。例えば、過去１セル、３セル以上を蓄積し、ハンドアウト先の候補を選択することとしてもよい。
【００７１】
また、上記した実施形態では、移動局の滞在時間合計を１分単位で区別したが、１分単位で無くてもよい。また、移動局の滞在時間合計が所定の値を超えたものについては、利用者が徒歩で移動している状況が想定されるので、一律にハンドアウト先の候補の記録の対象外とする等の処理を行ってもよい。
【００７２】
また、上記した実施形態では、移動局の移動経路と滞在時間を用いてハンドアウト先の候補となるセルを選択するものとして説明したが、その他の事情を考慮してハンドアウト先の候補となるセルを選択してもよい。例えば、無線基地局装置１００の提供するセル内に、高速の鉄道線路がある場合、その鉄道に搭乗している利用者の端末は、その線路に沿ったルートで、車両と同じ速さで移動することになる。このように過去数セルが鉄道の利用者であることを示している場合、無線基地局装置１００は、その滞在時間合計に拘わらず、その線路に沿った移動が行われると見做してハンドアウト先の候補を絞り込んでも良い。
【００７３】
また、無線基地局装置が配置されたエリアの地域的な特性、時期的なイベント、移動局の種類等を考慮して受信品質測定を行わせるセルを追加することもできる。例えば、無線基地局装置が配置されたエリアにおいて多くのユーザが徒歩移動しているようなケースでは、過去数セルから選択したセルに加えて、その両隣のセルを受信品質測定の対象に加えてもよい。また、特定のイベントの開催等により、多くのユーザが特定の場所に向かって移動することが見込まれる場合、その経路に沿ったセルを受信品質測定の対象に加えてもよい。さらに、移動局の多くがドローン等の無人飛行体に搭載された端末や、その他移動体に搭載されたＩｏＴ端末の場合、これらの無人飛行体や移動体の経路を考慮したセル選択を行ってもよい。
【００７４】
また、上記した実施形態では、ＬＴＥの無線基地局に適用した例を挙げて説明したが、本発明を適用可能な無線通信システムであれば、その適用範囲に制限はない。例えば、上記した第１の実施形態と同様のネットワーク主導型のハンドオーバを行う無線基地局にも同様の構成にて実現可能である。また、端末主導型のハンドオーバを行う無線通信システムにおいても、端末（移動局）や上位装置から、移動局の移動履歴を入手し、無線基地局に利用させることが可能な構成であれば、同様に適用することが可能である。
【００７５】
最後に、本発明の好ましい形態を要約する。
［第１の形態］
（上記第１の視点による無線基地局装置参照）
［第２の形態］
上記した無線基地局装置は、
さらに、前記移動局についてのハンドオーバ要求に含まれる情報要素から前記セル移動履歴を取り出して記録する移動履歴記録部を備えることが好ましい。
［第３の形態］
上記した無線基地局装置の移動履歴記録部は、移動局がハンドアウトする際に、前記移動局が過去に在圏したセルとその滞在時間合計とを対応付けて、前記ハンドアウト先となったセルを記録することが好ましい。
［第４の形態］
上記した無線基地局装置のセル選択部は、前記第１のセルから前記第２のセルに移動してきた移動局について、少なくとも前記第１のセルと前記第２のセルの組み合わせが共通するセル移動履歴のハンドアウト先として記録されたセルを、前記第３のセルとして決定することができる。
［第５の形態］
上記した無線基地局装置のセル選択部は、前記第１のセルから前記第２のセルに移動してきた移動局について、前記第１のセルと前記第２のセルの組み合わせが共通し、かつ、前記第１のセルを含むセルの滞在時間合計が近似するセル移動履歴のハンドアウト先として記録されたセルを、前記第３のセルとして決定することができる。
［第６の形態］
上記した無線基地局装置は、さらに、
前記移動局から受信した前記第２のセルの受信品質の測定結果に基づいて、前記移動局が前記第２のセルに滞在しているか否かを確認する移動局管理部を備え、
前記抑止指示部は、所定の時間以上、前記第２のセルに滞在している移動局に対し、前記第２のセル以外の受信品質の測定を抑止するよう指示することが好ましい。
［第７の形態］
上記した無線基地局装置の移動局管理部は、前記第２のセルの受信品質が所定の閾値より低下している移動局に対して、隣接セルの受信品質の測定再開を指示することが好ましい。
［第８の形態］
上記した無線基地局装置の移動履歴記録部は、隣接する無線基地局装置から受信したハンドオーバ要求に含まれるＵＥ−Ｈｉｓｔｏｒｙ−Ｉｎｆｏｒｍａｔｉｏｎに基づいて移動局のセル移動履歴を記録し、セル滞在時間を計算する構成を採ることができる。
［第９の形態］
（上記第２の視点による移動局の制御方法参照）
［第１０の形態］
（上記第３の視点によるプログラム参照）
なお、上記第９〜第１０の形態は、第１の形態と同様に、第２〜第８の形態に展開することが可能である。
【００７６】
なお、上記の特許文献および非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００７７】
１〜６、２００  移動局
１００ａ、１００、１００Ｂ  無線基地局装置
１０１、１０１ａ  セル選択部
１０２、１０２ａ  抑止指示部
１０３  移動履歴記録部
１０４  移動局管理部
９０００  コンピュータ
９０１０  ＣＰＵ
９０２０  通信インタフェース
９０３０  メモリ
９０４０  補助記憶装置
【図１】
2019071569.tif 000003
【図２】
2019071569.tif 000004
【図３】
2019071569.tif 000005
【図４】
2019071569.tif 000006
【図５】
2019071569.tif 000007
【図６】
2019071569.tif 000008
【図７】
2019071569.tif 000009
【図８】
2019071569.tif 000010
【図９】
2019071569.tif 000011
【図１０】
2019071569.tif 000012
【図１１】
2019071569.tif 000013
【図１２】
2019071569.tif 000014
【図１３】
2019071569.tif 000015
【図１４】
2019071569.tif 000016
【図１５】
2019071569.tif 000017
【図１６】
2019071569.tif 000018
【図１７】
2019071569.tif 000019
【図１８】
2019071569.tif 000020
【図１９】
2019071569.tif 000021
【図２０】
2019071569.tif 000022
【図２１】
2019071569.tif 000023
【図２２】
2019071569.tif 000024
【図２３】
2019071569.tif 000025
【図２４】
2019071569.tif 000026
【図２５】
2019071569.tif 000027